(57)【要約】【課題】投稿者にコンテンツの投稿を促す広告料分配システム、広告料分配方法、広告料分配プログラム、及び広告料分配プログラムを記憶した記憶媒体を提供する。【解決手段】投稿者の端末１０１と、広告主の端末１０２と、閲覧者の端末１０３と、サーバ１０と、がネットワーク２００を介して接続された広告料分配システムにおいて、投稿者情報と、コンテンツに関する投稿情報と、投稿者チャージ情報と、を記憶する投稿記憶手段１１と、広告主情報と、広告及び広告料に関する広告情報と、広告主チャージ情報と、を記憶する広告記憶手段１１と、コンテンツと広告とをサイトに配信する配信手段１５と、広告にクリックがあると広告料を広告情報から読み込み、広告料を広告主チャージ情報から減じるとともに、運営者チャージ情報と、コンテンツを投稿した投稿者の投稿者チャージ情報と、に分配する分配手段１２と、を備える。【選択図】図４
2010140377.tif 000002
【特許請求の範囲】
【請求項１】
複数の投稿者の端末と、複数の広告主の端末と、複数の閲覧者の端末と、前記投稿者の投稿と前記広告主の出稿とを受け付けるサイトの運営者のサーバと、がネットワークを介して接続され、情報の出入力を行う広告料分配システムにおいて、
前記投稿者に関する投稿者情報と、前記投稿者が投稿したコンテンツに関する投稿情報と、前記投稿者が前記運営者から入金された金額を示す投稿者チャージ情報と、を記憶する投稿記憶手段と、
前記広告主に関する広告主情報と、前記コンテンツに対して前記広告主が出稿した広告及び広告料に関する広告情報と、前記広告主が前記運営者に入金した金額を示す広告主チャージ情報と、を記憶する広告記憶手段と、
前記投稿者が投稿したコンテンツと、そのコンテンツに対応して出稿された前記広告主の広告とを前記サイトに配信する配信手段と、
前記サイト上で前記投稿者が投稿したコンテンツに対する前記閲覧者の端末からのアクセスがあると、前記投稿者が投稿したコンテンツに対して前記広告主が出稿した広告に関する広告料を、前記広告情報から読み込み、前記広告料を前記広告主チャージ情報から減じるとともに、前記広告料を前記運営者の運営者チャージ情報と、前記広告が出稿されたコンテンツを投稿した投稿者の前記投稿者チャージ情報と、に予め設定された比率で分配する分配手段と、を備えることを特徴とする広告料分配システム。
【請求項２】
複数の投稿者の端末と、複数の広告主の端末と、複数の閲覧者の端末と、前記投稿者の投稿と前記広告主の出稿とを受け付けるサイトの運営者のサーバと、がネットワークを介して接続され、情報の出入力を行う広告料分配システムにおいて、
前記投稿者に関する投稿者情報と、前記投稿者が投稿したコンテンツに関する投稿情報と、前記投稿者が前記運営者から入金された金額を示す投稿者チャージ情報と、を記憶する投稿記憶手段と、
前記広告主に関する広告主情報と、前記コンテンツに対して前記広告主が出稿した広告及び広告料に関する広告情報と、前記広告主が前記運営者に入金した金額を示す広告主チャージ情報と、を記憶する広告記憶手段と、
前記投稿者が投稿したコンテンツと、そのコンテンツに対応して出稿された前記広告主の広告とを前記サイトに配信する配信手段と、
前記サイト上で前記投稿者が投稿したコンテンツに対する前記閲覧者からのアクセスがあり、さらに、前記コンテンツに対して前記広告主が出稿した広告に対するクリックがあると、前記投稿者が投稿したコンテンツに対して、前記クリックされた、前記広告主が出稿した広告に関する広告料を、前記広告情報から読み込み、前記広告料を前記広告主チャージ情報から減じるとともに、前記広告料を前記運営者の運営者チャージ情報と、前記広告が出稿されたコンテンツを投稿した投稿者の前記投稿者チャージ情報と、に予め設定された比率で分配する分配手段と、を備えることを特徴とする広告料分配システム。
【請求項３】
複数の投稿者の端末と、複数の広告主の端末と、複数の閲覧者の端末と、前記投稿者の投稿と前記広告主の出稿とを受け付けるサイトの運営者のサーバと、がネットワークを介して接続され、情報の出入力を行う広告料分配方法において、
前記投稿者に関する投稿者情報と、前記投稿者が投稿したコンテンツに関する投稿情報と、前記投稿者が前記運営者から入金された金額を示す投稿者チャージ情報と、を記憶する投稿記憶ステップと、
前記広告主に関する広告主情報と、前記コンテンツに対して前記広告主が出稿した広告及び広告料に関する広告情報と、前記広告主が前記運営者に入金した金額を示す広告主チャージ情報と、を記憶する広告記憶ステップと、
前記投稿者が投稿したコンテンツと、そのコンテンツに対応して出稿された前記広告主の広告とを前記サイトに配信する配信ステップと、
前記サイト上で前記投稿者が投稿したコンテンツに対する前記閲覧者からのアクセスがあり、さらに、前記コンテンツに対して前記広告主が出稿した広告に対するクリックがあると、前記投稿者が投稿したコンテンツに対して、前記クリックされた、前記広告主が出稿した広告に関する広告料を、前記広告情報から読み込み、前記広告料を前記広告主チャージ情報から減じるとともに、前記広告料を前記運営者の運営者チャージ情報と、前記広告が出稿されたコンテンツを投稿した投稿者の前記投稿者チャージ情報と、に予め設定された比率で分配する分配ステップと、を備えることを特徴とする広告料分配方法。
【請求項４】
複数の投稿者の端末と、複数の広告主の端末と、複数の閲覧者の端末と、前記投稿者の投稿と前記広告主の出稿とを受け付けるサイトの運営者のサーバと、がネットワークを介して接続され、情報の出入力を行う広告料分配プログラムにおいて、
前記投稿者に関する投稿者情報と、前記投稿者が投稿したコンテンツに関する投稿情報と、前記投稿者が前記運営者から入金された金額を示す投稿者チャージ情報と、を記憶する投稿記憶ステップと、
前記広告主に関する広告主情報と、前記コンテンツに対して前記広告主が出稿した広告及び広告料に関する広告情報と、前記広告主が前記運営者に入金した金額を示す広告主チャージ情報と、を記憶する広告記憶ステップと、
前記投稿者が投稿したコンテンツと、そのコンテンツに対応して出稿された前記広告主の広告とを前記サイトに配信する配信ステップと、
前記サイト上で前記投稿者が投稿したコンテンツに対する前記閲覧者からのアクセスがあり、さらに、前記コンテンツに対して前記広告主が出稿した広告に対するクリックがあると、前記投稿者が投稿したコンテンツに対して、前記クリックされた、前記広告主が出稿した広告に関する広告料を、前記広告情報から読み込み、前記広告料を前記広告主チャージ情報から減じるとともに、前記広告料を前記運営者の運営者チャージ情報と、前記広告が出稿されたコンテンツを投稿した投稿者の前記投稿者チャージ情報と、に予め設定された比率で分配する分配ステップと、を備えることを特徴とする広告料分配プログラム。
【請求項５】
複数の投稿者の端末と、複数の広告主の端末と、複数の閲覧者の端末と、前記投稿者の投稿と前記広告主の出稿とを受け付けるサイトの運営者のサーバと、がネットワークを介して接続され、情報の出入力を行う広告料分配プログラムを記憶した記憶媒体において、
前記投稿者に関する投稿者情報と、前記投稿者が投稿したコンテンツに関する投稿情報と、前記投稿者が前記運営者から入金された金額を示す投稿者チャージ情報と、を記憶する投稿記憶ステップと、
前記広告主に関する広告主情報と、前記コンテンツに対して前記広告主が出稿した広告及び広告料に関する広告情報と、前記広告主が前記運営者に入金した金額を示す広告主チャージ情報と、を記憶する広告記憶ステップと、
前記投稿者が投稿したコンテンツと、そのコンテンツに対応して出稿された前記広告主の広告とを前記サイトに配信する配信ステップと、
前記サイト上で前記投稿者が投稿したコンテンツに対する前記閲覧者からのアクセスがあり、さらに、前記コンテンツに対して前記広告主が出稿した広告に対するクリックがあると、前記投稿者が投稿したコンテンツに対して、前記クリックされた、前記広告主が出稿した広告に関する広告料を、前記広告情報から読み込み、前記広告料を前記広告主チャージ情報から減じるとともに、前記広告料を前記運営者の運営者チャージ情報と、前記広告が出稿されたコンテンツを投稿した投稿者の前記投稿者チャージ情報と、に予め設定された比率で分配する分配ステップと、を備えることを特徴とする広告料分配プログラムを記憶した記憶媒体。
【発明の詳細な説明】
【技術分野】
【０００１】
本発明は、サイトに出稿された広告の広告料を分配する広告料分配システム、広告料分配方法、広告料分配プログラム、及び広告料分配プログラムを記憶した記憶媒体に関するものである。
【背景技術】
【０００２】
近年、インターネット上の各種サイトは情報提供の場であると同時に、重要な広告媒体となっており、サイトに掲載されたコンテンツの脇にはテキスト広告やバナー広告等が表示されることが多い。
また、サイトの態様は多様化しており、投稿者が各自で作成したコンテンツを投稿するサイトもある。このようなサイトも従来のサイトと同様に、重要な広告媒体であり、サイトの内容、種類によって様々な広告主がサイトへ広告を出稿する。
【０００３】
そして、サイトに表示された広告にはハイパーリンクが張られており、閲覧者が広告をクリックすると、閲覧者は広告主のサイトへと誘導される（例えば、特許文献１参照）。
【特許文献１】特開２００２−１８９９１９号公報
【０００４】
このネット広告システムは、閲覧者を広告主のサイトへ誘導させ、商品の魅力をより強くアピールできる等、広告主にとって大きなメリットがある。
【発明の開示】
【発明が解決しようとする課題】
【０００５】
しかしながら、投稿サイトにおける投稿者は、自分が投稿したコンテンツが他の閲覧者から多くアクセスされているという満足感を得られるに留まり、現実的な利益を受けることはない。
一方、サイトの運営者は、投稿者が投稿した人気の高いコンテンツによって、自身のサイトへのアクセスが増えるので、広告主から多くの広告料収入を得ることができる。
【０００６】
このようなネット広告システムにおいては、自分が投稿した人気の高いコンテンツによって、サイトの運営者のみが現実的な利益を受けていることに対して、不公平感を持つ投稿者が出てくる可能性がある。
不満を持つ投稿者が増えると、サイトへのコンテンツの投稿が減ってしまうので、閲覧者のサイトへのアクセス数が減少する。これは運営者の広告料収入の減少に繋がるので、運営者にとって好ましくないことである。
【０００７】
そこで、本発明の目的とするところは、投稿者にコンテンツの投稿を促す広告料分配システム、広告料分配方法、広告料分配プログラム、及び広告料分配プログラムを記憶した記憶媒体を提供することにある。
【課題を解決するための手段】
【０００８】
上記の目的を達成するために、本発明の請求項１に記載の広告料分配システムは、複数の投稿者の端末（１０１）と、複数の広告主の端末（１０２）と、複数の閲覧者の端末（１０３）と、投稿者の投稿と広告主の出稿とを受け付けるサイトの運営者のサーバ（１０）と、がネットワーク（２００）を介して接続され、情報の出入力を行う広告料分配システムにおいて、投稿者に関する投稿者情報と、投稿者が投稿したコンテンツに関する投稿情報と、投稿者が運営者から入金された金額を示す投稿者チャージ情報と、を記憶する投稿記憶手段（１１）と、広告主に関する広告主情報と、コンテンツに対して広告主が出稿した広告及び広告料に関する広告情報と、広告主が運営者に入金した金額を示す広告主チャージ情報と、を記憶する広告記憶手段（１１）と、投稿者が投稿したコンテンツと、そのコンテンツに対応して出稿された広告主の広告とをサイトに配信する配信手段（１５）と、サイト上で投稿者が投稿したコンテンツに対する閲覧者の端末（１０３）からのアクセスがあると、投稿者が投稿したコンテンツに対して広告主が出稿した広告に関する広告料を、広告情報から読み込み、広告料を広告主チャージ情報から減じるとともに、広告料を運営者の運営者チャージ情報と、広告が出稿されたコンテンツを投稿した投稿者の投稿者チャージ情報と、に予め設定された比率で分配する分配手段（１２）と、を備えることを特徴とする。
【０００９】
また、請求項２に記載の広告料分配システムは、複数の投稿者の端末（１０１）と、複数の広告主の端末（１０２）と、複数の閲覧者の端末（１０３）と、投稿者の投稿と広告主の出稿とを受け付けるサイトの運営者のサーバ（１０）と、がネットワーク（２００）を介して接続され、情報の出入力を行う広告料分配システムにおいて、投稿者に関する投稿者情報と、投稿者が投稿したコンテンツに関する投稿情報と、投稿者が運営者から入金された金額を示す投稿者チャージ情報と、を記憶する投稿記憶手段（１１）と、広告主に関する広告主情報と、コンテンツに対して広告主が出稿した広告及び広告料に関する広告情報と、広告主が運営者に入金した金額を示す広告主チャージ情報と、を記憶する広告記憶手段（１１）と、投稿者が投稿したコンテンツと、そのコンテンツに対応して出稿された広告主の広告とをサイトに配信する配信手段（１５）と、サイト上で投稿者が投稿したコンテンツに対する閲覧者からのアクセスがあり、さらに、コンテンツに対して広告主が出稿した広告に対するクリックがあると、投稿者が投稿したコンテンツに対して、クリックされた、広告主が出稿した広告に関する広告料を、広告情報から読み込み、広告料を広告主チャージ情報から減じるとともに、広告料を運営者の運営者チャージ情報と、広告が出稿されたコンテンツを投稿した投稿者の投稿者チャージ情報と、に予め設定された比率で分配する分配手段（１２）と、を備えることを特徴とする。
【００１０】
また、請求項３に記載の広告料分配方法は、複数の投稿者の端末（１０１）と、複数の広告主の端末（１０２）と、複数の閲覧者の端末（１０３）と、投稿者の投稿と広告主の出稿とを受け付けるサイトの運営者のサーバ（１０）と、がネットワーク（２００）を介して接続され、情報の出入力を行う広告料分配方法において、投稿者に関する投稿者情報と、投稿者が投稿したコンテンツに関する投稿情報と、投稿者が運営者から入金された金額を示す投稿者チャージ情報と、を記憶する投稿記憶ステップと、広告主に関する広告主情報と、コンテンツに対して広告主が出稿した広告及び広告料に関する広告情報と、広告主が運営者に入金した金額を示す広告主チャージ情報と、を記憶する広告記憶ステップと、投稿者が投稿したコンテンツと、そのコンテンツに対応して出稿された広告主の広告とをサイトに配信する配信ステップと、サイト上で投稿者が投稿したコンテンツに対する閲覧者からのアクセスがあり、さらに、コンテンツに対して広告主が出稿した広告に対するクリックがあると、投稿者が投稿したコンテンツに対して、クリックされた、広告主が出稿した広告に関する広告料を、広告情報から読み込み、広告料を広告主チャージ情報から減じるとともに、広告料を運営者の運営者チャージ情報と、広告が出稿されたコンテンツを投稿した投稿者の投稿者チャージ情報と、に予め設定された比率で分配する分配ステップと、を備えることを特徴とする。
【００１１】
また、請求項４に記載の広告料分配プログラムは、複数の投稿者の端末（１０１）と、複数の広告主の端末（１０２）と、複数の閲覧者の端末（１０３）と、投稿者の投稿と広告主の出稿とを受け付けるサイトの運営者のサーバ（１０）と、がネットワーク（２００）を介して接続され、情報の出入力を行う広告料分配プログラムにおいて、投稿者に関する投稿者情報と、投稿者が投稿したコンテンツに関する投稿情報と、投稿者が運営者から入金された金額を示す投稿者チャージ情報と、を記憶する投稿記憶ステップと、広告主に関する広告主情報と、コンテンツに対して広告主が出稿した広告及び広告料に関する広告情報と、広告主が運営者に入金した金額を示す広告主チャージ情報と、を記憶する広告記憶ステップと、投稿者が投稿したコンテンツと、そのコンテンツに対応して出稿された広告主の広告とをサイトに配信する配信ステップと、サイト上で投稿者が投稿したコンテンツに対する閲覧者からのアクセスがあり、さらに、コンテンツに対して広告主が出稿した広告に対するクリックがあると、投稿者が投稿したコンテンツに対して、クリックされた、広告主が出稿した広告に関する広告料を、広告情報から読み込み、広告料を広告主チャージ情報から減じるとともに、広告料を運営者の運営者チャージ情報と、広告が出稿されたコンテンツを投稿した投稿者の投稿者チャージ情報と、に予め設定された比率で分配する分配ステップと、を備えることを特徴とする。
【００１２】
また、請求項５に記載の広告料分配プログラムを記憶した記憶媒体は、複数の投稿者の端末（１０１）と、複数の広告主の端末（１０２）と、複数の閲覧者の端末（１０３）と、投稿者の投稿と広告主の出稿とを受け付けるサイトの運営者のサーバ（１０）と、がネットワーク（２００）を介して接続され、情報の出入力を行う広告料分配プログラムを記憶した記憶媒体において、投稿者に関する投稿者情報と、投稿者が投稿したコンテンツに関する投稿情報と、投稿者が運営者から入金された金額を示す投稿者チャージ情報と、を記憶する投稿記憶ステップと、広告主に関する広告主情報と、コンテンツに対して広告主が出稿した広告及び広告料に関する広告情報と、広告主が運営者に入金した金額を示す広告主チャージ情報と、を記憶する広告記憶ステップと、投稿者が投稿したコンテンツと、そのコンテンツに対応して出稿された広告主の広告とをサイトに配信する配信ステップと、サイト上で投稿者が投稿したコンテンツに対する閲覧者からのアクセスがあり、さらに、コンテンツに対して広告主が出稿した広告に対するクリックがあると、投稿者が投稿したコンテンツに対して、クリックされた、広告主が出稿した広告に関する広告料を、広告情報から読み込み、広告料を広告主チャージ情報から減じるとともに、広告料を運営者の運営者チャージ情報と、広告が出稿されたコンテンツを投稿した投稿者の投稿者チャージ情報と、に予め設定された比率で分配する分配ステップと、を備えることを特徴とする広告料分配プログラムを記憶する。
【００１３】
ここで、上記括弧内の記号は、図面および後述する発明を実施するための最良の形態に掲載された対応要素または対応事項を示す。
【発明の効果】
【００１４】
本発明の請求項１に記載の広告料分配システムによれば、サイト上で投稿者が投稿したコンテンツに対する閲覧者の端末からのアクセスがあると、投稿者が投稿したコンテンツに対して広告主が出稿した広告に関する広告料を、広告情報から読み込み、広告料を広告主チャージ情報から減じるとともに、広告料を運営者の運営者チャージ情報と、広告が出稿されたコンテンツを投稿した投稿者の投稿者チャージ情報と、に予め設定された比率で分配する分配手段を備えるので、全ての投稿者が、たった一つコンテンツを投稿するだけで広告料収入を得る可能性がある。よって、投稿者に、広告が出稿されうる魅力的なコンテンツの創作意欲及び投稿意欲が湧く。それに伴って、サイトには魅力的なコンテンツが増え、そのコンテンツを閲覧するために多くの閲覧者がサイトへアクセスするので、運営者の広告料収入も増える。
【００１５】
また、請求項２に記載の広告料分配システムによれば、サイト上で投稿者が投稿したコンテンツに対する閲覧者からのアクセスがあり、さらに、コンテンツに対して広告主が出稿した広告に対するクリックがあると、投稿者が投稿したコンテンツに対して、クリックされた、広告主が出稿した広告に関する広告料を、広告情報から読み込み、広告料を広告主チャージ情報から減じるとともに、広告料を運営者の運営者チャージ情報と、広告が出稿されたコンテンツを投稿した投稿者の投稿者チャージ情報と、に予め設定された比率で分配する分配手段を備えるので、投稿者に、広告が出稿されうる魅力的なコンテンツの創作意欲及び投稿意欲が湧き、それに伴って運営者の広告料収入も増える。
しかも、広告に対するクリックがある場合にのみ、この分配手段が機能するので、広告主にとっても広告料の費用対効果が大きく有益である。
つまり、投稿者、広告主、運営者の全てにとって有益である。
【００１６】
また、請求項３に記載の広告料分配方法によれば、サイト上で投稿者が投稿したコンテンツに対する閲覧者からのアクセスがあり、さらに、コンテンツに対して広告主が出稿した広告に対するクリックがあると、投稿者が投稿したコンテンツに対して、クリックされた、広告主が出稿した広告に関する広告料を、広告情報から読み込み、広告料を広告主チャージ情報から減じるとともに、広告料を運営者の運営者チャージ情報と、広告が出稿されたコンテンツを投稿した投稿者の投稿者チャージ情報と、に予め設定された比率で分配する分配ステップを備えるので、投稿者の、広告が出稿されるような魅力的なコンテンツの創作意欲及び投稿意欲が湧き、運営者の広告料収入も増える。
しかも、広告に対するクリックがある場合にのみ、この分配手段が機能するので、広告料の費用対効果が大きい。
【００１７】
なお、本発明の広告料分配システム、広告料分配方法、広告料分配プログラム、及び広告料分配プログラムを記憶した記憶媒体のように、広告料を運営者の運営者チャージ情報と、広告が出稿されたコンテンツを投稿した投稿者の投稿者チャージ情報と、に分配する分配手段又は分配ステップを備える点は、上述した特許文献１には全く記載されていない。
【発明を実施するための最良の形態】
【００１８】
図１及び図２を参照して、本発明の実施形態に係る広告料分配システムを説明する。図１は、本発明の実施形態に係る通信構成を示すブロック図である。図２は、本発明の実施形態に係るサーバ１０の電気構成を示すブロック図である。
【００１９】
本発明の実施形態に係る広告料分配システムは、図１に示すように、複数の投稿者の端末１０１と、複数の広告主の端末１０２と、複数の閲覧者の端末１０３と、投稿者の投稿と広告主の出稿とを受け付けるサイトの運営者のサーバ１０と、がインターネット等のネットワーク２００を介して接続され、情報の出入力を行うものであり、主に投稿記憶手段１１と、広告記憶手段１１と、配信手段１５と、分配手段１２と、を備えるものである。
【００２０】
複数の投稿者の端末１０１、複数の広告主の端末１０２、複数の閲覧者の端末１０３としては、一般的なパソコンの他、インターネット２００に接続可能な携帯電話等も含まれ、ＣＲＴやＬＣＤ等のディスプレイである出力部１４と共にキーボードやマウス等の入力部１３を備えている。
【００２１】
サーバ１０には、図２に示すように、記憶部１１と、システム全体を制御するＣＰＵからなる制御部１２と、入力用のキーボードやマウス等からなる入力部１３と、出力用のディスプレイ等からなる出力部１４と、インターネット２００と制御部１２の間に出入力制御部１５と、が設けられている。
【００２２】
この記憶部１１は、記憶媒体、具体的にはＲＯＭとＲＡＭからなる。ＲＯＭにはシステム全体を制御する制御プログラム等が記憶され、またＲＡＭには投稿者情報と、投稿情報と、投稿者チャージ情報と、広告主情報と、広告情報と、広告主チャージ情報と、が記憶される。
投稿者情報とは、例えば、投稿者に関する氏名、端末の識別番号、パスワード、銀行口座番号等である。
また、投稿情報とは、投稿者が投稿したコンテンツに関するものである。このコンテンツには写真、動画、音楽、詩やエッセー等の文章、イラスト等があり、個人のパソコンからサイトにアップロードできるデジタルデータを全て含む。更に、現在においては個人のパソコンで作成できないが、今後の技術の進歩によって、将来個人が趣味として作成できるようになるデジタルデータも全て含む。
それに加え、各自が投稿したコンテンツに対して、広告主からの広告の出稿を受け付けるか否かを選択することができ、その可否もこの投稿情報に含まれる。
また、投稿者チャージ情報は、投稿者が運営者から入金された金額を示すものであり、投稿者の銀行口座への出金可能金額を示す。
【００２３】
広告主情報とは、例えば、広告主に関する氏名又は法人名、端末の識別番号、パスワード等である。
また、広告情報とは、投稿者が投稿したコンテンツに対して広告主が出稿した広告及び各広告における広告料に関するものである。
なお、広告主は、投稿されたコンテンツを地域やテーマ等で検索して、コンテンツへの共感、応援、協賛、ブランドイメージアップ等の目的で、コンテンツ一つ一つに対して広告を出稿することができる。また、一つのコンテンツに対して出稿できる広告は三つまでであり、広告主が入札した広告料が高い順に、コンテンツに対して目立つように上から並べられる。ここで、入札した広告料が上位四位以下となると、再入札することによって広告料が上位三位以上とならない限り、サイト上に広告は掲載されることはない。したがって、閲覧者からアクセスの多いコンテンツへの広告料は自ずと高くなる。
広告主チャージ情報とは、事前に広告主が運営者に入金した金額を示すものであり、ここから広告料が引かれる。
【００２４】
以上のような投稿者情報、投稿情報、投稿者チャージ情報を記憶する投稿記憶手段１１と、広告主情報、広告情報、広告主チャージ情報を記憶する広告記憶手段１１とを、先述した記憶部１１が担う。
【００２５】
また、出入力制御部１５が配信手段１５を担い、この配信手段１５で投稿者が投稿したコンテンツと、そのコンテンツに対応して出稿された広告主の広告とをサイトに配信する。
【００２６】
制御部１２は、システム全体を制御するものであるが、本実施形態において特に重要な役割としては、分配手段１２を担うことである。
分配手段１２では、サイト上で投稿者が投稿したコンテンツに対する閲覧者からのアクセスがあり、さらに、コンテンツに対して広告主が出稿した広告に対するクリックがあると、投稿者が投稿したコンテンツに対して、クリックされた、広告主が出稿した広告に関する広告料を、広告情報から読み込み、広告料を広告主チャージ情報から減じるとともに、広告料を運営者の運営者チャージ情報と、広告が出稿されたコンテンツを投稿した投稿者の投稿者チャージ情報と、に予め設定された比率で分配する。
【００２７】
次に、図３乃至図５を参照して本実施形態に係る広告料分配方法について説明する。
まず、図３に示すように、サーバ１０の電源が入れられると、所定の初期化が行われる（ステップＳ（以下、「Ｓ」という語を省略する）１）。
次に、制御部１２が、過去の投稿及び広告の出稿で、尚且つ現在もサイトに掲載されるものに関する、投稿者情報と、投稿情報と、投稿者チャージ情報と、広告主情報と、広告情報と、広告主チャージ情報とを記憶部１１から読み込む（ステップ２）。
【００２８】
次に、新規に登録した投稿者に関する投稿者情報と、新規に投稿されたコンテンツに関する投稿情報と、新たに運営者から入金された金額を示す投稿者チャージ情報と、を記憶部１１に記憶する（ステップ３）。なお、サイトで投稿者や広告主として登録しなくてもコンテンツ等を閲覧することは可能であるが、投稿や出稿はできないものとしている。
【００２９】
次に、新規に登録した広告主に関する広告主情報と、コンテンツに対して広告主が新規に出稿した広告及び広告料に関する広告情報と、広告主が運営者に新規に又は追加で入金した金額を示す広告主チャージ情報と、を記憶部１１に記憶する（ステップ４）。
その後、出入力制御部１５が、投稿者が投稿したコンテンツと、そのコンテンツに対応して出稿された広告主の広告とをサイトに配信する（ステップ５）。
【００３０】
そして、図４に示すように、サイト上で投稿者が投稿したコンテンツに対する閲覧者からのアクセスがあり、さらに、コンテンツに対して広告主が出稿した広告に対するクリックがあると（ステップ６）、投稿者が投稿したコンテンツに対して、クリックされた、広告主が出稿した広告に関する広告料を、広告情報から読み込み（ステップ７）、広告料を広告主チャージ情報から減じる（ステップ８）とともに、広告料を運営者の運営者チャージ情報と広告が出稿されたコンテンツを投稿した投稿者の投稿者チャージ情報と、に予め設定された比率で分配する（ステップ９、ステップ１０）。本実施形態においては、広告料の６５％を運営者へ、残りの３５％を投稿者へ分配するように設定する。ここで１円未満の端数が発生しても、そのまま運営者チャージ情報と、投稿者チャージ情報へ分配し、後述するステップ１１にて、１円未満は切り捨てる等の処理をする。
一方、広告へのクリックがなかった場合には、ステップ６からステップ２へ戻る。
【００３１】
次に、図５に示すように、出金処理にて投稿者チャージ情報と、運営者チャージ情報に記憶されている入金額を、実際の各自の銀行口座へと出金する（ステップ１１）。例えば、月末に一度のみ出金することで、振込み手数料による利益の減少を小さくできる。
【００３２】
そして、広告主チャージ情報にある残金額が広告料よりも多いか否かの判定を行い（ステップ１２）、多く残っていれば、次に予め広告主が設定した設定額よりも、広告主チャージ情報にある残金額が多いか否かの判定を行い（ステップ１３）、設定額よりも少なければ運営者が広告主に残高通知を行う（ステップ１４）。
これは、ステップ１２において広告主チャージ情報が広告料よりも少ないと判定された場合には、運営者から広告主に残高不足通知がなされ（ステップ１５）、広告が消去される（ステップ１６）ので、これを事前に回避するためである。
この後は、再び広告がクリックされることを待つため、ステップ２に戻る。
【００３３】
このように広告料分配方法を実行する広告料分配プログラムについても、記憶部１１（ＲＯＭ）に記憶されている。
【００３４】
以上のように構成され、動作する広告料分配システムによれば、分配手段１２を備えるので、全ての投稿者が、たった一つコンテンツを投稿するだけで広告料収入を得る可能性がある。よって、投稿者に、広告が出稿されうる魅力的なコンテンツの創作意欲及び投稿意欲が湧く。したがって、サイトには魅力的なコンテンツが増え、コンテンツを閲覧するために多くの閲覧者がサイトへアクセスするので、それに伴って運営者の広告料収入が増える。
しかも、広告に対するクリックがある場合にのみ、この分配手段１２が機能するので、広告主にとっても広告料の費用対効果が大きく、有益である。
つまり、投稿者、広告主、運営者の全てにとって有益である。
【００３５】
なお、閲覧者からの広告へのクリックがあって初めて分配手段１２が作動するとしたが、これに限られるものではなく、広告付きのコンテンツに対してアクセスがあれば分配手段１２を作動させてもよい。この場合には、広告主の広告に対する費用対効果が低くなってしまうので、テキスト広告ではなく、バナー広告等のより閲覧者の目を引く広告表示とするほうが望ましい。
【００３６】
また、この広告料分配プログラムや投稿者情報等の各種情報はＲＯＭやＲＡＭに記憶されているとしたが、これに限られるものではなく、ハードディスク、ＣＤ等の記録デバイスあるいは、フラッシュメモリ等に記憶されていてもよい。
また、投稿者情報等の各種情報をＲＡＭに全て記憶させたが、これに限られるものではなく、それぞれの情報を記憶させる記憶媒体が異なって（分かれて）いてもよい。
【００３７】
また、出入力制御部１５が配信手段を担っているとしたが、これに限られるものではなく、出入力制御部１５と共に制御部１２が配信手段を担ってもよい。また、出入力制御部１５を設けずに制御部１２が単独で配信手段を担ってもよい。
また、広告料の６５％を運営者へ、残りの３５％を投稿者へ分配しているが、これに限られるものではなく、運営者はこれとは違った比率で分配してもよいし、投稿者やコンテンツ毎に分配の比率を変えてもよい。
【００３８】
また、本実施形態では、投稿者と閲覧者を分けて表現しているが、これは一つのコンテンツに対してのみの表現であって、例えば、Ａという投稿者は、Ｂという投稿者が投稿したコンテンツにとっては閲覧者となりうる。
また、コンテンツへの広告出稿は広告主が検索して決定するとしたが、これに限られるものではなく、検索プログラム等を用いて自動で複数の出稿先コンテンツを決定、入札を行ってもよい。
また、分配手段１２や分配ステップ（ステップ６，７，８，９，１０）において、１円未満の端数が発生しても、そのまま分配するとしたが、これに限られるものではなく、ここで端数切り捨てや切り上げ等の処理を行ってもよい。
【図面の簡単な説明】
【００３９】
【図１】本発明の実施形態に係る通信構成を示すブロック図である。
【図２】本発明の実施形態に係るサーバの電気構成を示すブロック図である。
【図３】本発明の実施形態の処理を示すフローチャートである。
【図４】本発明の実施形態の処理に係る分配ステップを示すフローチャートである。
【図５】本発明の実施形態の処理を示すフローチャートである。
【符号の説明】
【００４０】
１０      サーバ
１１      記憶部（投稿記憶手段、広告記憶手段）
１２      制御部（分配手段）
１３      出力部
１４      入力部
１５      出入力制御部（配信手段）
１０１      投稿者の端末
１０２      広告主の端末
１０３      閲覧者の端末
２００      ネットワーク（インターネット）
【図１】
2010140377.tif 000003
【図２】
2010140377.tif 000004
【図３】
2010140377.tif 000005
【図４】
2010140377.tif 000006
【図５】
2010140377.tif 000007